(57)【特許請求の範囲】
【請求項１】
一方向弁を備えた圧力インジケータであって、構造が、上部カバー（１）、中間部材（２）、弾性感圧ダイアフラム（３）、伝動指示棒（４）、および下部カバー（５）の部品からなり、前記各部品の構造はそれぞれ次の通りであり、
前記上部カバー（１）は、内部に一方向弁（１−２）が設けられており、外壁と一方向弁（１−２）が共に上部開口（１−１）を構成し、肩部に円環状凹部（１−６）が設けられており、大気に通じる大気通路（１−５）の開口が円環状凹部（１−６）内に設けられ、上部カバー（１）の位置決め突起（１−７）は中間部材（２）の位置決め凹部（２−３）に連結され；
前記中間部材（２）は、下部ポート（２−２）が弾性感圧ダイアフラム（３）の円周フランジ（３−１）に接着され、弾性感圧ダイアフラム（３）の下面（３−３）に、伝動指示棒（４）の支持端（４−１）に嵌め合わされる凹部（３−６）が設けられており；
前記伝動指示棒（４）は、支持端（４−１）と、支持端（４−１）の頂部および底部にそれぞれ連結される連結棒（４−２）と、下部空間（５−２）内に設置される指示端（４−４）と、前記指示端（４−４）の中心と前記連結棒（４−２）の底部とが連結される部分の両側にそれぞれ位置する孔（４−３）とからなることを特徴とする圧力インジケータ。
【請求項２】
前記上部カバー（１）は、中間部材（２）と共に、貫通する大気通路（１−５）をなすことを特徴とする請求項１に記載の圧力インジケータ。
【請求項３】
前記弾性感圧ダイアフラム（３）は、表面に、環状、楕円状または他の任意の形状の円周補強リブ（３−４）と、中心から周囲へ放射状に延びる縦方向補強リブ（３−５）とが設けられており、前記縦方向補強リブ（３−５）の数は２〜１６本であり、縦方向補強リブ（３−５）は円周補強リブ（３−４）と垂直に交差して均等に分布しており、円周補強リブ（３−４）と縦方向補強リブ（３−５）の横断面形状は、波形、または矩形、または三角形、または他の幾何学的形状に設計されることを特徴とする請求項１に記載の圧力インジケータ。
【請求項４】
前記弾性感圧ダイアフラム（３）は、構造形状が、円形シート、または楕円状シート、または他の幾何学的形状のシートに設計され、厚さが０．１ｍｍ〜２．０ｍｍであることを特徴とする請求項１に記載の圧力インジケータ。
【請求項５】
前記弾性感圧ダイアフラム（３）は、材質が、ゴム、またはシリコンゴム、またはＴＰＥ、または他の高弾性高分子材料であることを特徴とする請求項１に記載の圧力インジケータ。
【発明の詳細な説明】
【技術分野】
【０００１】
本発明は、圧力を測定および指示する器具に関し、医療器具のうち空気袋または水袋の内圧の測定および指示に主に用いられ、特に、ラリンジアルマスク、気管挿管または導尿管を測定および指示するための圧力インジケータに関する。
【背景技術】
【０００２】
例えば気管チューブ、ラリンジアルマスク、導尿管等の医療器具などの空気袋、水袋は医療器具の分野で非常に幅広く応用されており、人体の開口部を封止し装置を固定する役割を果たしており、器具の安全性についての考慮から、空気袋、水袋の圧力に対する検査は非常に重要であり、臨床では、その圧力を随時検査しなければならない。
【０００３】
圧力インジケータは、臨床での応用価値により、医療従事者と医療器具業界から大いに注目を集めている。一般的な圧力インジケータは構造と機能が簡単である。このため近年は、医療水準を絶え間なく発展させていくニーズを満たすため、圧力インジケータの構造に対する改良が日増しに増加しており、圧力インジケータの構造に関しては、次のような特許文献により報告されている。
【０００４】
１．実用新案番号がＺＬ２００８２００７４４２４．２（授権公告日２００９年１月１４日）の中国実用新案公報は、構造が、透明で目盛り線付きの中空キャビティと、一端が閉じており他端が開口している弾性膜袋と、一方向弁と、連結ヘッドとからなる空気袋圧力インジケータを開示している。中空キャビティの頂端は、それに封止連結される一方向弁を介して空気充填／空気抜きポートに連通しており、弾性膜袋は中空キャビティ内に配置され、その開口端が連結ヘッド上に封止固定されかつ内腔が大気に連通しており、弾性膜袋の内部および外部がそれぞれ膜袋内圧力領域と膜袋外圧力領域を形成し；中空キャビティの目盛り線と組み合わされ、膜袋内外の圧力差の変化に伴って変形変位を生じる弾性膜袋に、被測定空気袋圧力指示カラー指標が追加的に側設されている。
【０００５】
該空気袋圧力インジケータの考案の長所は次の通りである：感度が高く、体積が小さく重量が軽く、直感的であり、空気袋付きの気体通路型装置に直接配置することができ、使用が便利で製造コストが安く、ラリンジアルマスク、空気袋付きの気管挿管および他の空気袋付きの医療器具に用いるのに特に適している。
【０００６】
２．国際出願ＰＣＴ／ＵＳ２００１／０１２０２７  ２００１．４．１３、［中国特許明細書（授権公告番号ＣＮ１００３３３８０８Ｃ、授権公告日２００７年８月２９日）］は、可視的な空気充填圧力インジケータおよび該インジケータを含む外科用挿管を開示している。該発明は、圧力源内の流体の圧力レベルを視覚的に示すためのインジケータを提供している。該インジケータは、切り欠き部を有する可視的な空気充填本体を備えており、該切り欠き部は、対向する縁部を有しており、該空気充填可能な本体が、ガスが充填されていない状態にあるとき、該対向する縁部が１つの隙間により分離される。該空気充填可能な本体は、該空気充填可能な本体と圧力源を連結させる孔をさらに備えているため、該空気充填可能な本体が空気充填を行うとき、対向する縁部が、隙間の寸法を小さくするように一定の方向に相対的に移動することにより、圧力源において所期の圧力に達していることを示す。該インジケータは特に、気管内の挿管の空気充填カフにおいて所定の圧力に達していることを示すために用いられる。
【０００７】
該発明の長所は次の通りである：簡単であり、圧力源における圧力についての可視的な指示を提供している。これは、高価な圧力計や装置を用いるのに適さない状況で、空気充填可能なカフ内に過度に空気が充填された状態にあるかどうかを判断するのに特に有用であり、正確であり、簡単に使用および製造することもできる。
【０００８】
３．実用新案番号がＺＬ０３２３２２９８．４（授権公告日２００４年８月４日）の中国実用新案公報は、シリンダボディ、シールリング、空気弁駆動部品を備えており、シリンダボディに、中央部が透明な頂部カバーが被せられており、シリンダボディ内に、吸気貫通孔付きの空気弁駆動部品がねじ山を介して連結されており、空気弁駆動部品上の、頂部カバーとの間に弾性膜が設けられており、弾性膜上に気体圧力指示筒が設けられており、気体圧力指示筒と頂部カバーの間にばねが設けられている圧力検出インジケータを開示している。弾性膜の表面と気圧指示筒の表面にいずれも、圧力変化を示すパターンまたは色が設けられており、頂部カバーの不透明な部分の下縁部に指示線が設けられており、気圧指示筒の表面に目盛り線が設けられている。
【０００９】
該考案の長所は次の通りである：構造が簡単であり、製造コストが安く、使用が便利であり、圧力装置と空気作動装置の圧力変化を直感的に示すことができ、自動車タイヤ圧の検出指示に用いるのに特に適している。
【００１０】
ただし、上記３種の圧力インジケータには、次のような共通の欠点が存在する：（１）圧力の指示範囲が小さく、適応性が不十分であり；（２）構造が簡単だが精度が不十分であり、圧力を正確に測定するニーズを満たすことができない
【発明の概要】
【発明が解決しようとする課題】
【００１１】
本発明の目的は、構造がコンパクトであり指示が正確であり適用範囲が広い圧力インジケータを提供することにより、上記従来技術に存在する問題を解決することにある。
【課題を解決するための手段】
【００１２】
本発明が上記目的を実現するために採用する技術案は次の通りである。
一方向弁を備えた圧力インジケータであって、構造が、上部カバー、中間部材、弾性感圧ダイアフラム、伝動指示棒、および下部カバーの部品からなり、前記各部品の構造はそれぞれ次の通りである。前記上部カバーは、内部に一方向弁が設けられており、外壁と一方向弁が共に上部開口を構成し、肩部に円環状凹部が設けられており、大気に通じる大気通路の開口が円環状凹部内に設けられ、上部カバーの位置決め突起が中間部材の位置決め凹部に連結され；
前記中間部材は、下部ポートが弾性感圧ダイアフラムの円周フランジに接着され、弾性感圧ダイアフラムの下面に、伝動指示棒の支持端に嵌め合わされる凹部が設けられており；
前記伝動指示棒は、支持端と、支持端の頂部および底部にそれぞれ連結される連結棒と、下部空間内に設置される指示端と、前記指示端の中心と前記連結棒の底部とが連結される部分の両側にそれぞれ位置する孔（４−３）とからなる。
【００１３】
前記上部カバーは、中間部材と共に、貫通する大気通路をなす。
【００１４】
前記弾性感圧ダイアフラムは、表面に、環状、楕円状または他の任意の形状の円周補強リブと、中心から周囲へ放射状に延びる縦方向補強リブとが設けられており、前記縦方向補強リブの数は２〜１６本であり、縦方向補強リブは円周補強リブと垂直に交差して均等に分布しており、円周補強リブと縦方向補強リブの横断面形状は、波形、または矩形、または三角形、または他の幾何学的形状に設計される。
【００１５】
前記弾性感圧ダイアフラムは、構造形状が、円形シート、または楕円状シート、または他の幾何学的形状のシートに設計され、厚さが０．１ｍｍ〜２．０ｍｍである。
【００１６】
前記弾性感圧ダイアフラムは、材質が、ゴム、またはシリコンゴム、またはＴＰＥ、または他の高弾性高分子材料である。
【発明の効果】
【００１７】
従来技術と比べ、本発明は非常に優れた構造配置の下、以下の有益な効果を有する。
１）圧力の指示範囲が大きく、１０ｃｍ水柱〜１００ｃｍ水柱の測定レンジに達し得る。
２）指示精度が高く、分解能が優れている。
３）適応性が高く、気圧または水圧の監視測定に用いることができる
【図面の簡単な説明】
【００１８】
【図１】図１は、本発明の圧力インジケータの構造断面図である。
【図２】図２は、上部カバーの構造断面図である。
【図３】図３は、上部カバーの構造平面図である。
【図４】図４は、上部カバーの構造底面図である。
【図５】図５は、中間部材の構造概略図である。
【図６】図６は、弾性感圧ダイアフラムの構造概略図である
【図７】図７は、弾性感圧ダイアフラムの構造断面図である。
【発明を実施するための形態】
【００１９】
当業者に本発明の技術案をより良く理解させるため、以下、図面および実施形態を参照しながら、本発明についてさらに詳しく説明する。
【実施例】
【００２０】
構造が、図１に示す通り、上部カバー１、中間部材２、弾性感圧ダイアフラム３、伝動指示棒４、および下部カバー５の部品からなり、前記各部品の構造はそれぞれ次の通りである。前記上部カバー１は、図２、図３および図４に示すように、内部に一方向弁１−２が設けられており、外壁と一方向弁１−２が共に上部開口１−１を構成し、肩部に円環状凹部１−６が設けられており、大気に通じる大気通路１−５の開口が円環状凹部１−６内に設けられ、上部カバー１の位置決め突起１−７が中間部材２の位置決め凹部２−３に連結され；
前記中間部材２は、図１に示す通り、下部ポート２−２が弾性感圧ダイアフラム３の円周フランジ３−１に接着され、弾性感圧ダイアフラム３の下面３−３に、伝動指示棒４の支持端４−１に嵌め合わされる凹部３−６が設けられており；
前記伝動指示棒４は、図１に示す通り、支持端４−１と、支持端４−１の頂部および底部にそれぞれ連結される連結棒４−２と、下部空間５−２内に設置される指示端４−４と、前記指示端４−４の中心と前記連結棒４−２の底部とが連結される部分の両側にそれぞれ位置する孔４−３とからなる圧力インジケータ。
【００２１】
図１に示すように、前記上部カバー１は、中間部材２と共に、貫通する大気通路１−５をなす。
【００２２】
前記弾性感圧ダイアフラム３は、図６および図７に示すように、表面に、環状、楕円状または他の任意の形状の円周補強リブ３−４と、中心から周囲へ放射状に延びる縦方向補強リブ３−５とが設けられており、前記縦方向補強リブ３−５の数は２〜１６本であり、本実施例では４本に設計され、縦方向補強リブ３−５は円周補強リブ３−４と垂直に交差して均等に分布しており、円周補強リブ３−４と縦方向補強リブ３−５の横断面形状は、波形、または矩形、または三角形、または他の幾何学的形状に設計され、本実施例の円周補強リブ３−４と縦方向補強リブ３−５の横断面形状は波形に設計される。
【００２３】
前記弾性感圧ダイアフラム３は、構造形状が、円形シート、または楕円状シート、または他の幾何学的形状のシートに設計され、厚さが０．１ｍｍ〜２．０ｍｍである、本実施例の弾性感圧ダイアフラム３の構造形状は円形シートに設計され、その厚さは０．５ｍｍに設計される。
【００２４】
前記弾性感圧ダイアフラム３は、材質が、ゴム、またはシリコンゴム、またはＴＰＥ、または他の高弾性高分子材料であり、本実施例の材質はゴムに設計される。
【００２５】
使用方法は次の通りである。
【００２６】
空気袋を検査することを例にすると、本発明の圧力インジケータは使用時に、図１に示
すように、下部開口５−３が空気充填チューブを介して、検査される空気袋に封止連結さ
れる。シリンジを使って上部開口１−１に空気を入れなければならず、気体は一方向弁１
−２を通り、図２に示す下部空間１−３に入った後、図１に示すスリット１−４を通って
下部カバー５の上部空間５−１に入り、気体が図１に示す下部空間５−２内に設置される指示端４−４と、前記指示端４−４の中心と前記連結棒４−２の底部とが連結される部分の両側にそれぞれ位置する孔４−３を通って下部空間５−２に入り、さらには下部開口５−３を通って、検査される空気袋に空気を充填する一方、気体が弾性感圧ダイアフラム３の図１に示す下面３−３を押動して上向きに動かすと同時に、伝動指示棒４を上向きに動かし、ひいては、指示端４−４の変化によって圧力の変化を示し、下部カバーの外の目盛り線により示度を読み取る。弾性感圧ダイアフラム３の上面は大気通路１−５を介して大気に連通しており、弾性感圧ダイアフラム３は、検査される空気袋内の圧力と大気圧との間の差を常に示し、この圧力インジケータの構造が、検査の正確さを保証している。
【００２７】
上記は、本発明の好ましい実施例であるに過ぎず、本発明の構造に、いかなる形における制限も加えない。本発明の技術的本質に基づいて以上の実施例に対して行われたいかなる簡単な修正、同等な変更および修飾も、本発明の技術案の範囲内に属する。
【符号の説明】
【００２８】
図１において、１：上部カバー、１−１：上部開口、１−２：一方向弁、１−３：下部空間、１−４：スリット、１−５：大気通路、１−６：環状凹部、１−７：位置決め突起、２：中間部材、２−１：接着スリット、２−２：下部ポート、３：弾性感圧ダイアフラム、３−１：円周フランジ、３−２：上面、３−３：下面、３−６：凹部、４：伝動指示棒、４−１：支持端、４−２：連動棒、４−３：孔、４−４：指示端、５：下部カバー、５−１：上部空間、５−２：下部空間、５−３：下部開口である。
図２において、１−１：上部開口、１−３：下部空間、１−５：大気通路である。
図３において、１−１：上部開口、１−５：大気通路、１−６：環状凹部である。
図４において、１−５：大気通路、１−７：位置決め突起である。
図５において、２−２：下部ポート、２−３：位置決め凹部、２−４：空気通路、２−５：大気通路である。
図６において、３−１：接着溝、３−４：円周補強リブ、３−５：縦方向補強リブ、３−６：凹部である。
図７において、３−１：接着溝、３−２：上面、３−４：円周補強リブ、３−６：凹部である。
【図１】
0006009696.tif 000002
【図２】
0006009696.tif 000003
【図３】
0006009696.tif 000004
【図４】
0006009696.tif 000005
【図５】
0006009696.tif 000006
【図６】
0006009696.tif 000007
【図７】
0006009696.tif 000008